(57)【要約】【課題】各吊りロープの張力に基づく自転力による回転動作を簡単な構造でかつ容易な作業で的確に抑えることができるエレベータの吊りロープ回り止め装置を提供することにある。【解決手段】エレベータのかごおよび釣合い重りを吊り下げて支持する複数本の吊りロープ３と、これら吊りロープ３の端部に連結され、それぞれ梁部材２に下部から上部に貫挿されてその梁部材２に張力調整手段を介して支持されたシャックルロッド８ａ，８ｂ，８ｃと、前記梁部材２から突出した各シャックルロッド８ａ，８ｂ，８ｃの相互間に設けられ、一端部がその相互間の一方のシャックルロッド８ａ，８ｂ，８ｃに締結固定され、他端部が他方のシャックルロッド８ａ，８ｂ，８ｃに係合してその一方のシャックルロッド８ａ，８ｂ，８ｃの回転を抑えるブラケット２０とを具備する。【選択図】    図１
2006062769.tif 000002
【特許請求の範囲】
【請求項１】
エレベータのかごおよび釣合い重りを吊り下げて支持する複数本の吊りロープと、
これら吊りロープの端部に連結され、それぞれ梁部材に下部から上部に貫挿されてその梁部材に張力調整手段を介して支持されたシャックルロッドと、
前記梁部材から突出した各シャックルロッドの相互間に設けられ、一端部がその相互間の一方のシャックルロッドに締結固定され、他端部が他方のシャックルロッドに係合してその一方のシャックルロッドの回転を抑える回り止め部材と、
を具備することを特徴とするエレベータの吊りロープ回り止め装置。
【請求項２】
前記回り止め部材は、一端部に前記一方のシャックルロッドに嵌合する嵌合部を、他端部に前記他方のシャックルロッドに係合する係合部を有し、前記嵌合部が円形の透孔からなり、前記係合部がＵ状の切欠溝からなることを特徴とする請求項１に記載のエレベータの吊りロープ回り止め装置。
【請求項３】
前記回り止め部材は、一端部に前記一方のシャックルロッドに嵌合する嵌合部を、他端部に前記他方のシャックルロッドに係合する係合部を有し、前記嵌合部および係合部がそれぞれＵ状の切欠溝からなることを特徴とする請求項１に記載のエレベータの吊りロープ回り止め装置。
【請求項４】
前記回り止め部材は、その長手方向に伸縮可能な構成となっていることを特徴とする請求項１ないし３のいずれかに記載のエレベータの吊りロープ回り止め装置。
【請求項５】
前記回り止め部材の係合部には防音材が設けられていることを特徴とする請求項１ないし４のいずれかに記載のエレベータの吊りロープ回り止め装置。
【発明の詳細な説明】
【技術分野】
【０００１】
この発明は、エレベータの乗りかごおよび釣合い重りを吊り下げて支持する吊りロープの回り止め装置に関する。
【背景技術】
【０００２】
エレベータの乗りかごおよび釣合い重りは、巻上機に巻き掛けられた吊りロープを介して建屋の昇降路内に吊り下げられ、その巻上機による駆動で昇降路内において互に逆方向に昇降移動する。
【０００３】
乗りかごおよび釣合い重りは、平行に引き揃えられた複数本の吊りロープ（ワイヤロープ）により吊り下げられおり、その各吊りロープの端末部が梁部材に係止されている。図１４には梁部材に対する各吊りロープの係止構造を示してあり、１は巻上機（図示せず）が設置された機械室の床部材で、この床部材１の上方に梁部材２が設けられている。各吊りロープ３はその端末がそれぞれソケット４に連結され、クリップ５を介してそのソケット４に締結されている。
【０００４】
各ソケット４にはそれぞれシャックルロッド８が連結され、これらシャックルロッド８の上端側の先端部が機械室内に設けられた梁部材２にその下方側から貫挿されて梁部材２の上方側に突出するように導出されている。
【０００５】
各シャックルロッド８は梁部材２に遊挿され、また各シャックルロッド８の外周面にはねじが加工されている。そして梁部材２の上方側に突出した各シャックルロッド８の外周にはそれぞれコイルばね９および座金１０が装着されているとともに、その座金１０の上方側において各シャックルロッド８に張力調整手段として一対の締め込み用と緩み止め用のナット１２ａ，１２ｂが螺着され、これらナット１２ａ，１２ｂと梁部材２との間にコイルばね９が挟み付けられている。
【０００６】
このような構造により各吊りロープ３が梁部材２に支持され、その各吊りロープ３の下方側が床部材１に形成された開口１ａを通してその下方に導出されている。そして各吊りロープ３に加わる荷重が各コイルばね９により弾性的に受け止められる。
【０００７】
ところで、吊りロープ３にはこれに加わる荷重に応じて自転力が生じる。この自転力は吊りロープ３の撚り構造に基づくもので、吊りロープ３の荷重に応じてその撚りの方向と反対の方向に自転力が生じる。そしてこのような自転力による吊りロープ３の回転を抑えるために、従来においては、互に隣り合うソケット４の相互間に回り止め用の細い棒材１５を挿入して掛け渡し、この棒材１５で各吊りロープ３の回転（自転）を抑制するようにしている。なお、棒材１５に替えてワイヤロープが用いられることもある。
【発明の開示】
【発明が解決しようとする課題】
【０００８】
吊りロープ３の張力は必要に応じて調整する必要があり、その調整の際には、シャックルロッド８に螺着されている締め込み用のナット１２ａを締め込みあるいは緩めてシャックルロッド８の位置を上下に変位させる。このような張力調整により互に隣り合うソケット４の位置が変わり、上下に段違い状に配置する場合がある。
【０００９】
このような場合、互に隣り合うソケット４の相互間に棒材１５を挿入して吊りロープ３の回り止めを図る際に、その隣り合うソケット４が段違い状となることから棒材１５の挿入が困難となってしまうことがある。
【００１０】
棒材１５に替えて屈曲性のある細いワイヤロープを用いれば段違い状のソケット４間にそれを挿入することが可能となるが、この場合そのワイヤロープが屈曲性のある細いワイヤロープであるから、吊りロープ３の自転力を十分に抑えることができず、その自転力でワイヤロープが屈曲して隣り合うソケット４同士が衝突して異常音を発してしまう恐れがある。
【００１１】
さらに従来の構造では、棒材１５やワイヤロープを挿入する際の作業位置が機械室の床部材１と梁部材２との間の狭いスペース内となり、このためその作業がしずらく、作業能率が低下する難点ある。
【００１２】
この発明はこのような点に着目してなされたもので、その目的とするところは、各吊りロープの張力に基づく自転力による回転動作を簡単な構造でかつ容易な作業で的確に抑えることができるエレベータの吊りロープ回り止め装置を提供することにある。
【課題を解決するための手段】
【００１３】
請求項１の発明は、エレベータのかごおよび釣合い重りを吊り下げて支持する複数本の吊りロープと、これら吊りロープの端部に連結され、それぞれ梁部材に下部から上部に貫挿されてその梁部材に張力調整手段を介して支持されたシャックルロッドと、前記梁部材から突出した各シャックルロッドの相互間に設けられ、一端部がその相互間の一方のシャックルロッドに締結固定され、他端部が他方のシャックルロッドに係合してその一方のシャックルロッドの回転を抑える回り止め部材とを具備することを特徴としている。
【００１４】
請求項２の発明は、前記回り止め部材が、一端部に前記一方のシャックルロッドに嵌合する嵌合部を、他端部に前記他方のシャックルロッドに係合する係合部を有し、前記嵌合部が円形の透孔からなり、前記係合部がＵ状の切欠溝からなることを特徴としている。
【００１５】
請求項３の発明は、前記回り止め部材が、一端部に前記一方のシャックルロッドに嵌合する嵌合部を、他端部に前記他方のシャックルロッドに係合する係合部を有し、前記嵌合部および係合部がそれぞれＵ状の切欠溝からなることを特徴としている。
【００１６】
請求項４の発明は、前記回り止め部材が、その長手方向に伸縮可能な構成となっていることを特徴としている。
【００１７】
請求項５の発明は、前記回り止め部材の係合部に防音材が設けられていることを特徴としている。
【発明の効果】
【００１８】
この発明によれば、各吊りロープの張力に基づく自転力による回転動作を簡単な構造でかつ容易な作業で的確に抑えることができる。
【発明を実施するための最良の形態】
【００１９】
以下、この発明の実施の形態について図１ないし図１３を参照して説明する。なお、従来の構成と対応する部分には同一符号を付してその重複する説明を省略する。
【００２０】
図１ないし図４には第１の実施形態を示してある。この実施形態は６本の吊りロープ３を用いてかごおよび釣合い重りを昇降路内に吊り下げている場合の例である。各吊りロープ３の端部にはそれぞれソケット４を介してシャックルロッド８ａ，８ｂ，８ｃ，８ｄ，８ｅ，８ｆが連結されている。
【００２１】
これら６本のシャックルロッド８ａ，８ｂ，８ｃ，８ｄ，８ｅ，８ｆは、図２に示すように左右方向に２列に３本ずつが並列して並ぶように梁部材２に対して配設され、それぞれコイルばね９および張力調整手段としてのナット１２ａ，１２ｂを介してその梁部材２に係止されている。
【００２２】
そして、互に隣り合うシャックルロッド８ａ，８ｂ，８ｃ，８ｄ，８ｅ，８ｆの上部の相互間にそれぞれ回り止め部材としてのブラケット２０が掛け渡されている。
【００２３】
ブラケット２０は、図３および図４に示すように、中間部に段差２１を有し、全体がクランク状に屈曲するように一方向に長い板状に形成されている。これらブラケット２０は例えば鋼板により形成されている。
【００２４】
ブラケット２０の長手方向の一端部には、嵌合部として直径がシャックルロッド８ａ，８ｂ，８ｃ，８ｄ，８ｅ，８ｆの直径よりやや大きい円形の透孔２３が形成され、また他端部には係合部として幅がシャックルロッド８ａ，８ｂ，８ｃ，８ｄ，８ｅ，８ｆの直径よりやや大きいＵ状の切欠溝２４が形成されている。切欠溝２４はその開放部がブラケット２０の一側縁に向くように形成されている。
【００２５】
そして互に隣り合うシャックルロッド８ａと８ｂとの間に掛け渡されたブラケット２０においては、その一端部の透孔２３にシャックルロッド８ａが挿入され、その一端部がナット１２ａ，１２ｂで締め付けられてシャックルロッド８ａに固定され、また他端部の切欠溝２４が隣り合う他方のシャックルロッド８ｂのナット１２ａの上側に配置されてそのシャックルロッド８ｂに係合するように掛け止められている。
【００２６】
同様の構造で、シャックルロッド８ｂと８ｃとの間、シャックルロッド８ｃと８ｄとの間、シャックルロッド８ｄと８ｅとの間、シャックルロッド８ｅと８ｆとの間、シャックルロッド８ｆと８ａとの間にそれぞれブラケット２０が掛け渡されている。なお、各ブラケット２０における切欠溝２４の開放部の向きは、吊りロープ３の張力による自転力でブラケット２０が回転するときの向きと同じ方向となっている。
【００２７】
このような構成においては、吊りロープ３に張力が加わり、その吊りロープ３と一体的にシャックルロッド８ａ，８ｂ，８ｃ，８ｄ，８ｅ，８ｆが自転しようとしたときに、そのシャックルロッド８ａ，８ｂ，８ｃ，８ｄ，８ｅ，８ｆに固定されているブラケット２０もそのシャックルロッド８ａ，８ｂ，８ｃ，８ｄ，８ｅ，８ｆと一体的に回転しようとする。
【００２８】
ところが、ブラケット２０はその隣りのシャックルロッド８ｂ，８ｃ，８ｄ，８ｅ，８ｆ，８ａに切欠溝２４を介して係合しているため、結局、ブラケット２０の回転動作がそのシャックルロッド８ｂ，８ｃ，８ｄ，８ｅ，８ｆ，８ａにより阻止され、吊りロープ３の自転が抑えられる。
【００２９】
一方、吊りロープ３の張力を調整する際には、シャックルロッド８ａ，８ｂ，８ｃ，８ｄ，８ｅ，８ｆに螺着されている締め込み用のナット１２ａを締め込みあるいは緩めてシャックルロッド８ａ，８ｂ，８ｃ，８ｄ，８ｅ，８ｆの位置を上下に変位させて吊りロープ３の張力を調整する。
【００３０】
この際、各シャックルロッド８ａ，８ｂ，８ｃ，８ｄ，８ｅ，８ｆはナット１２ａの位置を基準にして上下に移動するだけで、ナット１２ａの位置はほとんど変動せずに定位置を保つ。すなわち、吊りロープ３の張力の調整でシャックルロッド８ａ，８ｂ，８ｃ，８ｄ，８ｅ，８ｆが段違い状に配列しても、その段違いに影響さえることなく各ブラケット２０はほぼ定位置を保ち、したがってそのまま吊りロープ３の張力に基づく自転力による回転動作を的確に抑えることできる。
【００３１】
各ブラケット２０はシャックルロッド８ａ，８ｂ，８ｃ，８ｄ，８ｅ，８ｆの上端部すなわち梁部材２の上方の周囲が広く開放された部分において、互に隣り合うシャックルロッド８ａ，８ｂ，８ｃ，８ｄ，８ｅ，８ｆの相互間に掛け渡して取り付ければよく、このためその取り付けの作業を容易に能率よく行なうことができる。
【００３２】
図５および図６には第２の実施形態を示してあり、この実施形態においてはブラケット２０の長手方向の一端部に嵌合部として円形の透孔２３が形成され、他端部に係合部としてＵ状の切欠溝２４がその長手方向に沿うように、つまり切欠溝２４の開放部がブラケット２０の一端縁に向くように形成されている。
【００３３】
この場合にも第１の実施形態と同様に、互いに隣り合うシャックルロッド８ａ，８ｂ，８ｃ，８ｄ，８ｅ，８ｆの一方に前記透孔２３が嵌合され、他方に切欠溝２４が係合されてその隣り合うシャックルロッド８ａ，８ｂ，８ｃ，８ｄ，８ｅ，８ｆ間にブラケット２０が掛け渡され、かつそのブラケット２０の一端部がその一端部の透孔２３に嵌合したシャックルロッド８ａ，８ｂ，８ｃ，８ｄ，８ｅ，８ｆに一対のナット（図示せず）により締結固定される。
【００３４】
この実施形態の場合には、吊りロープに加わる張力による自転力でシャックルロッド８ａ，８ｂ，８ｃ，８ｄ，８ｅ，８ｆと一体的にブラケット２０が回転しようとしたときに、ブラケット２０の切欠溝２４の側縁がその内側のシャックルロッド８ｂ，８ｃ，８ｄ，８ｅ，８ｆ，８ａに当接してその回転が阻止される。
【００３５】
この場合、ブラケット２０の切欠溝２４がその長手方向に沿うように延びているから、吊りロープの自転力の方向がいずれの方向であっても切欠溝２４の側縁がシャックルロッド８ｂ，８ｃ，８ｄ，８ｅ，８ｆ，８ａに当接してブラケット２０の回転が阻止され、したがって吊りロープの自転力の方向に関わりなく、同一のブラケット２０を用いることができ、また吊りロープの自転力の方向をいちいち確認する必要もなく、したがってブラケット２０の取付作業を容易に能率よく行なうことができる。
【００３６】
図７および図８には第３の実施形態を示してあり、この実施形態においてはブラケット２０の一端部に嵌合部としてＵ状の切欠溝２３が形成され、他端部に係合部としてＵ状の切欠溝２４が形成されている。そしてこれら切欠溝２３，２４の開放部が共にブラケット２０の一側縁に向く状態となっている。
【００３７】
この場合にも第１の実施形態と同様に、互いに隣り合うシャックルロッド８ａ，８ｂ，８ｃ，８ｄ，８ｅ，８ｆの一方に前記切欠溝２３が嵌合され、他方に切欠溝２４が係合されてその隣り合うシャックルロッド８ａ，８ｂ，８ｃ，８ｄ，８ｅ，８ｆ間にブラケット２０が掛け渡され、かつそのブラケット２０の一端部がその一端部の切欠溝２３に嵌合したシャックルロッド８ａ，８ｂ，８ｃ，８ｄ，８ｅ，８ｆに一対のナット（図示せず）により締結固定される。
【００３８】
この実施形態の場合には、ブラケット２０の嵌合部および係合部が共にＵ状の切欠溝２３，２４からなり、かつその両切欠溝２３，２４が同じ方向を向いており、このため吊りロープの張力調整に当たってブラケット２０を取り外す際に、図１に示すナット１２ａ，１２ｂを緩め、ブラケット２０を側方に向けて水平に引き出すだけで特にナット１２ｂをシャックルロッド８ａ，８ｂ，８ｃ，８ｄ，８ｅ，８ｆから外すことなく、ブラケット２０を取り外すことができる。また、ブラケット２０を再度シャックルロッド８ａ，８ｂ，８ｃ，８ｄ，８ｅ，８ｆに取り付けるときも、ナット１２ｂを外すことなく容易に能率よく取り付けることができる。
【００３９】
図９ないし図１１には第４の実施形態を示してあり、この実施形態においてはブラケット２０が一対の端板２０ａ，２０ｂと中間板２０ｃとに分割されていて、中間板２０ｃの一端縁にヒンジ３０ａを介して一方の端板２０ａが回動可能に連結され、中間板２０ｃの他端縁にヒンジ３０ｂを介して他方の端板２０ｂが回動可能に連結されている。そして中間板２０ｃがほぼ垂直に起立し、各端板２０ａ，２０ｂが水平に延び、これによりブラケット２０の全体が段違いのクランク状をなし、その中間板２０ｃが傾斜することによりブラケット２０の全体が長手方向に伸縮することが可能となっている。ブラケット２０の一方の端板２０ａには嵌合部として例えば円形の透孔２３が形成され、他方の端板２０ｂには係合部として例えばＵ状の切欠溝２４が形成されている。
【００４０】
この場合にも、第１の実施形態の場合と同様に、互いに隣り合うシャックルロッド８ａ，８ｂ，８ｃ，８ｄ，８ｅ，８ｆの一方に前記透孔２３が嵌合され、他方に切欠溝２４が係合されてその隣り合うシャックルロッド８ａ，８ｂ，８ｃ，８ｄ，８ｅ，８ｆ間に掛け渡され、かつ一端部がその一端部の切欠溝２３に嵌合したシャックルロッド８ａ，８ｂ，８ｃ，８ｄ，８ｅ，８ｆに螺着された一対のナット（図示せず）により締結固定される。
【００４１】
この実施形態の場合には、ブラケット２０を長手方向に伸縮させることができるから、隣り合うシャックルロッド８ａ，８ｂ，８ｃ，８ｄ，８ｅ，８ｆの間隔寸法に誤差があってもブラケット２０を伸縮させてその誤差に関わらずブラケット２０をその隣り合うシャックルロッド８ａ，８ｂ，８ｃ，８ｄ，８ｅ，８ｆ間に掛け渡して取り付けることができる。
【００４２】
また、このブラケット２０においては、図１０に示す状態から端板２０ｂを矢印方向に回動して図１１に示すように中間板２０ｃに重ね合わせ、さらに状態から中間板２０ｃを矢印方向に回動して端板２０ａに重ね合わせるようにコンパクトに折り畳むことができ、したがってブラケット２０の持ち運びや収納保管等の取り扱いを便利に行なうことができる。
【００４３】
図１２および図１３には第５の実施形態を示してあり、この実施形態においてはブラケット２０の長手方向の一端部に嵌合部として円形の透孔２３が形成され、他端部に係合部としてＵ状の切欠溝２４が形成され、さらにその係合部としての切欠溝２４に吸音材３３が取り付けられている。この吸音材３３は、ゴムや合成樹脂からなり、切欠溝２４の周縁に沿って延びるように取り付けられている。
【００４４】
この実施形態の場合には、前記切欠溝２４がシャックルロッド８ａ，８ｂ，８ｃ，８ｄ，８ｅ，８ｆに係合し、吊りロープに加わる張力による自転力で前記切欠溝２４の縁部がシャックルロッド８ａ，８ｂ，８ｃ，８ｄ，８ｅ，８ｆに当接したり摺動するが、この際、前記切欠溝２４の縁部は吸音材３３を介してシャックルロッド８ａ，８ｂ，８ｃ，８ｄ，８ｅ，８ｆに当接したり摺動するから、その当接音や摺動音が吸音材３３により吸収され、このためその当接や摺動による騒音を低減することができる。
【００４５】
なお、このような吸音材３３は、図５に示すブラケット２０の切欠溝２４、図７に示すブラケット２０の切欠溝２４、図９に示すブラケット２０の切欠溝２４に取り付けることも可能である。
【００４６】
また、前記各実施形態では、回り止め部材としてのブラケットを互いに隣り合うシャックルロッド間に設けるようにしたが、必ずしも隣り合うシャックルロッド間に設ける必要はない。すなわち、回り止め部材は、任意のシャックルロッドの相互間に設け、その一方のシャックルロッドに回り止め部材の一端部を締結固定し、他端部を他方のシャックルロッドに係合させればよい。
【図面の簡単な説明】
【００４７】
【図１】この発明の第１の実施形態に係る吊りロープ回り止め装置を示す正面図。
【図２】その吊りロープ回り止め装置の平面図。
【図３】その吊りロープ回り止め装置における回り止め部材としてのブラケットを示す平面図。
【図４】そのブラケットの側面図。
【図５】この発明の第２の実施形態に係る吊りロープ回り止め装置における回り止め部材としてのブラケットを示す平面図。
【図６】そのブラケットの側面図。
【図７】この発明の第３の実施形態に係る吊りロープ回り止め装置における回り止め部材としてのブラケットを示す平面図。
【図８】そのブラケットの側面図。
【図９】この発明の第４の実施形態に係る吊りロープ回り止め装置における回り止め部材としてのブラケットを示す平面図。
【図１０】そのブラケットの側面図。
【図１１】そのブラケットを折り畳んだ状態の側面図。
【図１２】この発明の第５の実施形態に係る吊りロープ回り止め装置における回り止め部材としてのブラケットを示す平面図。
【図１３】そのブラケットの側面図。
【図１４】従来の吊りロープ回り止め装置を示す正面図。
【符号の説明】
【００４８】
１…床部材
２…梁部材
３…吊りロープ
４…ソケット
５…クリップ
８…シャックルロッド
８ａ〜８ｆ…シャックルロッド
１２ａ．１２ｂ…ナット
２０…ブラケット（回り止め部材）
２３…透孔
２３…切欠溝
２４…切欠溝
３３…吸音材
【図１】
2006062769.tif 000003
【図２】
2006062769.tif 000004
【図３】
2006062769.tif 000005
【図４】
2006062769.tif 000006
【図５】
2006062769.tif 000007
【図６】
2006062769.tif 000008
【図７】
2006062769.tif 000009
【図８】
2006062769.tif 000010
【図９】
2006062769.tif 000011
【図１０】
2006062769.tif 000012
【図１１】
2006062769.tif 000013
【図１２】
2006062769.tif 000014
【図１３】
2006062769.tif 000015
【図１４】
2006062769.tif 000016